(57)【要約】【課題】前後両面に開口するボックス本体を形鋼材から離れた位置に配設することができる配線用ボックスを提供する。【解決手段】配線用ボックスＢは、第１〜第４側壁２１ａ〜２１ｄによって囲み形成されたボックス内空間Ｓが仕切壁２６によって仕切られて前後両面に開口するボックス本体２１を備える。ボックス本体２１には、該ボックス本体２１にボルト１０を貫通させるとともに該ボルト１０を仕切壁２６に沿わせて配設させるボックス支持具貫通部が設けられている。【選択図】図１
2008306862.tif 000002
【特許請求の範囲】
【請求項１】
複数の形鋼材を間隔をおいて立設し、前記複数の形鋼材を挟むように壁材を立設してなる間仕切壁内において、前記形鋼材の立設方向に対し交差する方向へ延設されたボックス支持具に支持されて前記間仕切壁内に配設される配線用ボックスであって、
周壁によって囲み形成されたボックス内空間が仕切壁によって仕切られて前後両面に開口するボックス本体を備え、前記ボックス支持具を前記ボックス本体に貫通させるとともに、ボックス支持具を前記仕切壁に沿わせて配設させるボックス支持具貫通部をボックス本体に設けた配線用ボックス。
【請求項２】
前記ボックス支持具貫通部は、前記周壁において対向する位置に形成されて前記ボックス支持具を挿通可能な一対の挿通孔と、該挿通孔に挿通されたボックス支持具を前記仕切壁に収容させる収容部を備える請求項１に記載の配線用ボックス。
【請求項３】
前記収容部は、前記仕切壁の一部を除去して形成される請求項２に記載の配線用ボックス。
【請求項４】
前記ボックス支持具は、前記形鋼材に固定されるボルト、又は前記形鋼材に取り付けられる取付部を有するとともに該取付部から延設され前記配線用ボックスが固定される平板状の固定片を有するボックス固定具である請求項２又は請求項３に記載の配線用ボックス。
【請求項５】
前記挿通孔は、前記ボルト及び前記固定片のいずれも挿通可能とする請求項４に記載の配線用ボックス。
【請求項６】
前記ボックス支持具貫通部は、ボックス本体の深さ方向中央に位置するように設けられている請求項１〜請求項５のうちいずれか一項に記載の配線用ボックス。
【発明の詳細な説明】
【技術分野】
【０００１】
本発明は、複数の形鋼材を間隔をおいて立設し、複数の形鋼材を挟むように壁材を立設してなる間仕切壁内において、形鋼材の立設方向に対し交差する方向へ延設されたボックス支持具に支持されて間仕切壁内に配設される配線用ボックスに関する。
【背景技術】
【０００２】
例えば、軽量間仕切壁は、間隔をおいて立設された断面略Ｃ字状をなす複数の軽量形鋼材を挟むように壁材が立設されて構築されるものである。この軽量間仕切壁内には、該軽量間仕切壁の壁面に設置される配線器具を取付可能とする配線用ボックスが配設される。そして、軽量間仕切壁の両面に配線器具を設置する場合には、前後両側に配線器具を取り付け可能とした配線用ボックスが用いられる。このような配線用ボックスとしては、例えば、特許文献１に開示の間仕切用配線器具取付枠が挙げられる。
【０００３】
特許文献１の間仕切用配線器具取付枠は、側面に取着手段を備え、かつ前後両側の上下に取付孔を設けた取着部材を固着したコ型固定枠を有する。さらに、間仕切用配線器具取付枠は、縦幅を前記コ型固定枠に合致する一定の幅とし、１又は複数の配線器具を配列して取着しうる窓孔を形成し、かつ周囲に複数の取付孔を設けた四角形の取付枠を有する。この取付枠は、コ型固定枠の前面及び後面のいずれか一面又は両面の取着部材に取着される。
【０００４】
取着手段について説明すると、コ型固定枠の側面において上下端には、軽量形鋼材の側面に形成された開口と略同一幅の廻り止め片が形成されている。また、コ型固定枠の側面において中央部には円弧状のガイド溝が穿設され、該ガイド溝の円弧の中心となる位置に螺合されたねじには挟持板が螺合されている。挟持板はねじを支点として回動可能になっている。
【０００５】
そして、上記構成の間仕切用配線器具取付枠を軽量形鋼材に固定するには、まず、廻り止め片を軽量形鋼材の開口に嵌合し、さらに、挟持板を回動させ、該挟持板の両端を軽量形鋼材の開口両側に係止させる。そして、ねじを締め付け、挟持板とコ型固定枠とで軽量形鋼材を挟持することで間仕切用配線器具取付枠が軽量形鋼材に固定される。その後、コ型固定枠の前後両側に取着された取付枠を用いて間仕切用配線器具取付枠の前後両側に配線器具が取り付けられ、軽量間仕切壁の前後両面に配線器具が設置される。
【特許文献１】特開平９−８４２３９号公報
【発明の開示】
【発明が解決しようとする課題】
【０００６】
ところが、特許文献１に開示の間仕切用配線器具取付枠は、挟持板とコ型固定枠で軽量形鋼材を挟持して軽量形鋼材に対して直接固定される。このため、間仕切用配線器具枠は軽量形鋼材の直近位置にしか配設することができなかった。
【０００７】
本発明は、このような従来の技術に存在する問題点に着目してなされたものであり、その目的は、前後両面に開口するボックス本体を形鋼材から離れた位置に配設することができる配線用ボックスを提供することにある。
【課題を解決するための手段】
【０００８】
上記問題点を解決するために、請求項１に記載の発明は、複数の形鋼材を間隔をおいて立設し、前記複数の形鋼材を挟むように壁材を立設してなる間仕切壁内において、前記形鋼材の立設方向に対し交差する方向へ延設されたボックス支持具に支持されて前記間仕切壁内に配設される配線用ボックスであって、周壁によって囲み形成されたボックス内空間が仕切壁によって仕切られて前後両面に開口するボックス本体を備え、前記ボックス支持具を前記ボックス本体に貫通させるとともに、ボックス支持具を前記仕切壁に沿わせて配設させるボックス支持具貫通部をボックス本体に設けたことを要旨とする。
【０００９】
請求項２に記載の発明は、請求項１に記載の配線用ボックスにおいて、前記ボックス支持具貫通部は、前記周壁において対向する位置に形成されて前記ボックス支持具を挿通可能な一対の挿通孔と、該挿通孔に挿通されたボックス支持具を前記仕切壁に収容させる収容部を備えることを要旨とする。
【００１０】
請求項３に記載の発明は、請求項２に記載の配線用ボックスにおいて、前記収容部は、前記仕切壁の一部を除去して形成されることを要旨とする。
請求項４に記載の発明は、請求項２又は請求項３に記載の配線用ボックスにおいて、前記ボックス支持具は、前記形鋼材に固定されるボルト、又は前記形鋼材に取り付けられる取付部を有するとともに該取付部から延設され前記配線用ボックスが固定される平板状の固定片を有するボックス固定具であることを要旨とする。
【００１１】
請求項５に記載の発明は、請求項４に記載の配線用ボックスにおいて、前記挿通孔は、前記ボルト及び前記固定片のいずれも挿通可能とすることを要旨とする。
請求項６に記載の発明は、請求項１〜請求項５のうちいずれか一項に記載の配線用ボックスにおいて、前記ボックス支持具貫通部は、ボックス本体の深さ方向中央に位置するように設けられていることを要旨とする。
【発明の効果】
【００１２】
本発明によれば、前後両面に開口するボックス本体を形鋼材から離れた位置に配設することができる。
【発明を実施するための最良の形態】
【００１３】
以下、本発明を具体化した一実施形態を図１〜図７にしたがって説明する。なお、以下の説明において、図１に示す矢印Ｙ１の方向を上下方向とし、「左」「右」は、図１に示す矢印Ｙ２の方向を左右方向とし、「前」「後」は、図１に示す矢印Ｙ３の方向を前後方向とする。
【００１４】
まず、間仕切壁としての軽量間仕切壁Ｗについて説明する。図１に示すように、軽量間仕切壁Ｗは、複数の形鋼材としての軽量形鋼材Ｐ（図１では一本の軽量形鋼材Ｐのみ図示）と、該軽量形鋼材Ｐを挟むようにして立設される壁材Ｗａとから構築されている。前記壁材Ｗａは石膏ボードが用いられる。前記軽量形鋼材Ｐは、薄鋼板からなり、軽量形鋼材Ｐの立設方向（矢印Ｙ１に示す上下方向）に対して直交する方向（矢印Ｙ３に示す前後方向）への平断面視が略Ｃ字状をなすＣ型鋼である。そして、上記軽量間仕切壁Ｗ内に配線用ボックスＢを配設するため、軽量形鋼材Ｐには配線用ボックスＢを支持するボックス支持具たるボルト１０又はボックス固定具１１（図７参照）が固定される。
【００１５】
前記ボルト１０は、長尺状をなし隣り合う軽量形鋼材Ｐに架設され、軽量形鋼材Ｐの立設方向に対し直交（交差）する方向へ延設された状態で使用される。また、図７に示すように、前記ボックス固定具１１は、薄鋼板を折り曲げて細長板状に形成されている。該ボックス固定具１１の一端には矩形板状をなす取付部１２が設けられるとともに、前記取付部１２の一側縁からは細長板状をなす固定片１３が取付部１２に対し直交するように延設されている。固定片１３において、該固定片１３の長さ方向へ延びる両側縁にはリブ１３ａが折り曲げ形成されている。そして、ボックス固定具１１は、取付部１２から軽量形鋼材Ｐに固定ビス１４を強制螺入することにより軽量形鋼材Ｐに固定されるとともに固定片１３が軽量形鋼材Ｐの立設方向に対して直交（交差）する方向へ延設された状態で使用される。
【００１６】
次に、配線用ボックスＢについて詳細に説明する。図１及び図２に示すように、合成樹脂材料製の配線用ボックスＢは、ボックス本体２１を備える。このボックス本体２１は、周壁を形成する第１〜第４側壁２１ａ〜２１ｄから四角枠状に形成されている。なお、図１において、上側に位置する側壁を第１側壁２１ａ、下側に位置する側壁を第２側壁２１ｂ、左側に位置する側壁を第３側壁２１ｃ、右側に位置する側壁を第４側壁２１ｄとする。そして、第１側壁２１ａと第２側壁２１ｂは上下方向に相対向し、第３側壁２１ｃと第４側壁２１ｄとは左右方向に相対向している。また、第１〜第４側壁２１ａ〜２１ｄの短辺方向、すなわち、矢印Ｙ３に示す前後方向をボックス本体２１の深さ方向とし、第３及び第４側壁２１ｃ，２１ｄの長辺方向、すなわち、矢印Ｙ１に示す上下方向をボックス本体２１の高さ方向とする。そして、ボックス本体２１は、深さ方向に沿った長さが軽量形鋼材Ｐの幅方向に沿った長さよりわずかに短くなっている。
【００１７】
ボックス本体２１において、第１側壁２１ａ及び第２側壁２１ｂには円孔状をなす接続孔２２が３つずつ形成されている。接続孔２２は、未使用の場合は閉鎖部材２３によって閉鎖されている。また、第１側壁２１ａ及び第２側壁２１ｂの内面にはそれぞれボス部２４が形成されている。そして、該ボス部２４に取り付けられたボックスカバー（図示せず）に配線器具（図示せず）が取り付けられ、該配線器具が配線用ボックスＢに取り付けられる。
【００１８】
第３及び第４側壁２１ｃ，２１ｄにおいて、ボックス本体２１の深さ方向中央（前後方向中央）となる位置には、長孔状をなす挿通孔２５がボックス本体２１の高さ方向（上下方向）に延びるように形成されるとともに、両挿通孔２５は互いに対向する位置に配設されている。挿通孔２５において、ボックス本体２１の高さ方向中央となる部位は円孔状に形成され、該円孔状をなす部位にボルト挿通孔２５ａが形成されている。このボルト挿通孔２５ａは、ボックス本体２１の深さ方向中央に位置するとともに、高さ方向中央に位置している。また、挿通孔２５の長さ方向両端部は、ボックス本体２１の深さ方向に沿って拡幅され、該拡幅された部位に拡幅部２５ｂが形成されている。そして、挿通孔２５の全体に亘って前記ボックス固定具１１の固定片１３を挿通することが可能になっている。すなわち、挿通孔２５には、ボルト１０及びボックス固定具１１のいずれも挿通可能になっている。また、挿通孔２５の拡幅部２５ｂには、挿通孔２５に挿通された固定片１３のリブ１３ａを挿通することが可能になっている。
【００１９】
図４及び図５に示すように、ボックス本体２１には、仕切壁２６がボックス本体２１の深さ方向中央に位置するように各側壁２１ａ〜２１ｄの内面に一体形成されている。第１〜第４側壁２１ａ〜２１ｄに囲み形成されたボックス内空間Ｓは、仕切壁２６によって前側ボックス内空間Ｓ１と後側ボックス内空間Ｓ２に仕切られている。そして、ボックス本体２１は、前側ボックス内空間Ｓ１が前側に開口するとともに後側ボックス内空間Ｓ２が後側に開口している。
【００２０】
仕切壁２６の第３及び第４側壁２１ｃ，２１ｄ側には、枠状をなすガイド部２７が挿通孔２５を囲むようにして仕切壁２６から第３及び第４側壁２１ｃ，２１ｄに連続して形成され、ガイド部２７の内側には、挿通孔２５に挿通された固定片１３が貫通可能になっている。ガイド部２７は、ボックス本体２１の左右方向へ所要の幅を有するとともに、ボックス本体２１の深さ方向へ所要の幅を有するように形成されている。なお、ガイド部２７において、左右方向への所要の幅とは、ガイド部２７に固定片１３が挿通されたとき、ガイド部２７によって固定片１３の傾動が規制されるような幅のことであり、深さ方向への所要の幅とは、固定片１３の厚みより若干大きく固定片１３の傾動が規制されるような幅のことである。また、ガイド部２７において、ボックス本体２１の高さ方向中央であり、深さ方向中央となる位置はボルト挿通孔２５ａの周縁に沿って略円筒状に形成され、ボルト１０を挿通可能になっている。また、ガイド部２７にはビス挿通孔２７ａが形成されている。
【００２１】
図３に示すように、仕切壁２６において、一対のガイド部２７に挟まれた正面視四角形状をなす領域は除去可能に形成されている。この除去可能な部位により、仕切壁２６に仕切形成部２８が形成されている。この仕切形成部２８は、仕切壁２６との間に設けられた四箇所の連結片２８ａによって仕切壁２６と一体化されている。各連結片２８ａは細長薄板状をなし、容易に折り曲げ可能になっている。このため、仕切形成部２８は、仕切壁２６から容易に除去可能になっている。
【００２２】
そして、仕切形成部２８は、除去前は仕切壁２６の一部を形成するとともに、端縁がガイド部２７の内側に対向する位置に配置されている。このため、仕切形成部２８の除去前の状態では、挿通孔２５に挿通された固定片１３は仕切形成部２８に当接し、それ以上挿通できないようになっている。また、仕切形成部２８（仕切壁２６）において、ボックス本体２１の高さ方向中央となる位置には収容部としてのボルト収容溝２８ｂが、ボックス本体２１の前側から後側へ凹みつつ、ボックス本体２１の左右方向へ延びるように形成されている。ボルト収容溝２８ｂは、ボルト挿通孔２５ａの周縁のうち周方向に沿った半分に沿うように形成されている。そして、このボルト収容溝２８ｂは、ボルト挿通孔２５ａ及びガイド部２７に挿通されたボルト１０を収容可能に形成されている。すなわち、ボルト挿通孔２５ａに挿通されたボルト１０を仕切形成部２８に沿って配設可能となっている。そして、一対のボルト挿通孔２５ａ、及びボルト収容溝２８ｂが、ボックス本体２１にボルト１０を貫通させるとともに該ボルト１０を仕切壁２６に沿わせて配設させるボックス支持具貫通部を形成している。
【００２３】
また、図６に示すように、仕切形成部２８が仕切壁２６から除去されると、仕切壁２６には、一対のガイド部２７に挟まれる正面視四角形状をなす仕切壁開口部２９が形成されるようになっている。仕切壁開口部２９において、ボックス本体２１の高さ方向に沿った長さは、固定片１３の短辺方向への長さより僅かに大きくなっている。仕切形成部２８が仕切壁２６から除去されると、一対の挿通孔２５同士は、仕切壁開口部２９及びガイド部２７の内側を介して連通する状態となる。すなわち、一対の挿通孔２５、一対のガイド部２７の内側、及び仕切壁開口部２９により、ボックス本体２１を左右方向に貫通する空間が形成される。
【００２４】
そして、一方の挿通孔２５、一方のガイド部２７、仕切壁開口部２９、他方のガイド部２７、及び他方の挿通孔２５の順序で固定片１３を挿通することにより、図７に示すように、ボックス本体２１に固定片１３を貫通させることができるようになっている。したがって、一対の挿通孔２５、及び仕切壁開口部２９がボックス本体２１に固定片１３を貫通させるとともに該固定片１３を仕切壁２６に沿わせて配設させるボックス支持具貫通部を形成している。また、仕切壁開口部２９は、仕切壁２６から除去されるとともに、仕切壁２６に固定片１３（ボックス固定具１１）を収容させる収容部を形成している。
【００２５】
次に、上記構成の配線用ボックスＢを軽量間仕切壁Ｗ内に配設する方法について説明する。まず、ボルト１０に配線用ボックスＢを支持させて配線用ボックスＢを軽量間仕切壁Ｗ内に配設する場合について説明する。
【００２６】
図１に示すように、軽量形鋼材Ｐの一つの壁部Ｐａにおいて、該壁部Ｐａの幅方向中央となる位置にボルト１０の一端側を固定し、ボルト１０を軽量形鋼材Ｐの立設方向に対し直交する方向へ延設する。次に、配線用ボックスＢにおける一方の挿通孔２５において、ボルト挿通孔２５ａにボルト１０の他端側を挿通し、さらに、ボルト１０を一方のガイド部２７の内側を通過させる。すると、ガイド部２７により、ボルト挿通孔２５ａに挿通されたボルト１０がボルト収容溝２８ｂに向かうように案内される。そして、ボルト収容溝２８ｂに収容されたボルト１０を、他方のガイド部２７を介してボルト挿通孔２５ａに挿通する。すると、一対のガイド部２７及び一対のボルト挿通孔２５ａによりボルト１０が位置決めされ、ボルト１０がボルト収容溝２８ｂの内側に配設される。すなわち、ボックス支持具貫通部により、ボックス本体２１にボルト１０を貫通させつつ、ボルト１０が仕切壁２６に沿う状態に配設される。また、ボルト１０は、ボルト収容溝２８ｂの内側に、ボルト１０の径方向におけるほぼ半分が収容されながら仕切壁２６（仕切形成部２８）に沿って配設される。
【００２７】
その後、隣り合う軽量形鋼材Ｐにボルト１０の他端側を固定し、一対の軽量形鋼材Ｐにボルト１０を架設する。そして、ボルト１０の延設方向に沿って配線用ボックスＢを移動させ、ボルト１０による配線用ボックスＢの支持位置を調節する。その後、ビス挿通孔２７ａにビス３０を螺入し、該ビス３０によってボルト１０をガイド部２７の内面に押し付け、ボルト１０に配線用ボックスＢを取り付ける。すると、配線用ボックスＢがボルト１０に支持固定された状態で所定位置に配設される。ボルト１０によって配線用ボックスＢが支持された状態では、仕切壁２６によってボックス内空間Ｓが前側ボックス内空間Ｓ１と後側ボックス内空間Ｓ２に仕切られている。
【００２８】
次に、ボックス固定具１１に配線用ボックスＢを支持させて配線用ボックスＢを軽量間仕切壁Ｗ内に配設する場合について説明する。まず、図７に示すように、軽量形鋼材Ｐの一つの壁部Ｐａにおいて、該壁部Ｐａの幅方向中央から固定片１３が延設されるように壁部Ｐａに取付部１２を固定する。次に、図６に示すように、仕切壁２６から仕切形成部２８を除去し、仕切壁２６に仕切壁開口部２９を開口させる。次いで、配線用ボックスＢにおける一方の挿通孔２５に固定片１３を挿通し、さらに、固定片１３を一方のガイド部２７の内側を通過させる。すると、ガイド部２７により、挿通孔２５に挿通された固定片１３が仕切壁開口部２９に向かうように案内される。
【００２９】
そして、仕切壁２６に沿うように仕切壁開口部２９に収容された固定片１３を、他方のガイド部２７を介して他方の挿通孔２５に挿通する。すると、図７に示すように、一対のガイド部２７及び一対の挿通孔２５により固定片１３が位置決めされ、固定片１３が仕切壁開口部２９に配設される。仕切壁開口部２９は仕切壁２６から仕切形成部２８を除去して形成されるため、該仕切壁開口部２９に配設された固定片１３は、仕切壁２６に沿うように配設され、仕切壁２６の壁面と固定片１３の壁面とがほぼ面一となる。よって、ボックス支持具貫通部により、ボックス本体２１に固定片１３を貫通させつつ、固定片１３が仕切壁２６に沿う状態に配設される。その後、固定片１３の延設方向に沿って配線用ボックスＢを移動させ、固定片１３による支持位置を調節する。その後、ビス挿通孔２７ａにビス３０を螺入し、該ビス３０によって固定片１３に配線用ボックスＢを取り付ける。すると、配線用ボックスＢが固定片１３に支持固定された状態で所定位置に配設される。ボックス固定具１１によって配線用ボックスＢが支持された状態では、仕切壁２６と固定片１３によってボックス内空間Ｓが前側ボックス内空間Ｓ１と後側ボックス内空間Ｓ２に仕切られている。
【００３０】
そして、ボルト１０又はボックス固定具１１に配線用ボックスＢが支持された状態において、軽量形鋼材Ｐを挟むようにして壁材Ｗａが立設され、軽量間仕切壁Ｗが構築される。このとき、配線用ボックスＢの前後両端は、軽量形鋼材Ｐの前後両面より突出していないため、配線用ボックスＢが壁材Ｗａ立設の妨げにならない。その後、配線用ボックスＢの前後両側に配線器具が取り付けられ、軽量間仕切壁Ｗの前後両面に配線器具が設置される。
【００３１】
上記実施形態によれば、以下のような効果を得ることができる。
（１）ボックス本体２１には、一対のボルト挿通孔２５ａ、及びボルト収容溝２８ｂよりなるボックス支持具貫通部が形成されている。このため、前後両面が開口する配線用ボックスＢにおいて、ボックス支持具貫通部を用いてボルト１０を、ボックス本体２１を貫通させ、該ボルト１０に配線用ボックスＢを支持させることができる。このため、ボルト１０に沿って配線用ボックスＢの支持位置を移動させることにより、前後両面に開口するボックス本体２１を軽量形鋼材Ｐから離れた位置に配設することができる。
【００３２】
（２）仕切壁２６は、ボックス本体２１の深さ方向中央に位置するように設けられ、該仕切壁２６にボルト収容溝２８ｂ（収容部）が凹設されている。そして、ボルト挿通孔２５ａは、ボックス本体２１の深さ方向中央に位置するように第３及び第４側壁２１ｃ，２１ｄに形成されている。このため、ボルト挿通孔２５ａに挿通されたボルト１０をボルト収容溝２８ｂに収容することができ、結果としてボルト１０を仕切壁２６に沿わせて配設することができる。よって、ボックス本体２１内を貫通するボルト１０が前側ボックス内空間Ｓ１又は後側ボックス内空間Ｓ２を横切り、各空間Ｓ１，Ｓ２を狭くしてしまうことを防止することができる。
【００３３】
（３）ボックス本体２１には、一対の挿通孔２５、及び仕切壁開口部２９（収容部）よりなるボックス支持具貫通部が形成されている。このため、前後両面が開口する配線用ボックスＢにおいて、ボックス支持具貫通部を用いてボックス固定具１１の固定片１３を、ボックス本体２１を貫通させ、該固定片１３に配線用ボックスＢを支持させることができる。このため、固定片１３に沿って配線用ボックスＢの支持位置を移動させることにより、前後両面に開口するボックス本体２１を軽量形鋼材Ｐから離れた位置に配設することができる。
【００３４】
（４）固定片１３が仕切壁開口部２９に収容配設された状態では、固定片１３の前後両面と、仕切壁２６の前後両面とは面一となる。このため、仕切壁開口部２９に収容された固定片１３は、仕切壁２６と同様にボックス内空間Ｓを前側ボックス内空間Ｓ１と後側ボックス内空間Ｓ２とに仕切ることができる。したがって、固定片１３がいずれか一方のボックス内空間側に偏って配設され、その固定片１３が配設されボックス内空間が狭められることを防止することができる。
【００３５】
（５）仕切壁２６における第３及び第４側壁２１ｃ，２１ｄ側にはガイド部２７が設けられている。そして、ガイド部２７により、ボルト挿通孔２５ａに挿通されたボルト１０又は挿通孔２５に挿通された固定片１３を、ボルト収容溝２８ｂ又は仕切壁開口部２９に向かうように案内し、さらに、ボルト収容溝２８ｂ又は仕切壁開口部２９から他方のボルト挿通孔２５ａ又は挿通孔２５に向かうように案内することができる。よって、ボックス本体２１にボルト１０又は固定片１３を貫通させる作業を容易に行うことができる。
【００３６】
（６）挿通孔２５（ボルト挿通孔２５ａ）は、ボックス本体２１の深さ方向中央に位置するように形成されている。このため、軽量形鋼材Ｐの壁部Ｐａの幅方向中央から延設されたボルト１０又は固定片１３をボルト挿通孔２５ａ又は挿通孔２５に挿通することにより、ボルト１０又は固定片１３の前側にボックス本体２１の前側半分を、後側にボックス本体２１の後側半分を配置することができる。そして、ボックス本体２１の深さ方向に沿った長さは、軽量形鋼材Ｐの幅より僅かに短くなっているため、ボルト１０又は固定片１３に支持されたボックス本体２１が軽量形鋼材Ｐの幅内に収まるように支持される。その結果として、ボルト１０又は固定片１３に支持された配線用ボックスＢが壁材Ｗａ立設の障害となることを防止することができる。
【００３７】
（７）仕切壁開口部２９は、挿通孔２５と対向する位置に形成されるとともに、固定片１３の短辺方向への長さと対応する形状に形成されている。このため、挿通孔２５に挿通された固定片１３をそのまま仕切壁開口部２９に収容し、さらに固定片１３が仕切壁２６の一部を形成するように配設することができる。仕切壁開口部２９は仕切壁２６から仕切形成部２８を除去することで形成されるため、挿通孔２５に固定片１３を挿通するだけで仕切壁２６に沿って固定片１３を配設することができる。
【００３８】
（８）仕切壁２６には仕切形成部２８が設けられ、該仕切形成部２８は仕切壁２６から除去可能に形成されている。そして、ボルト１０によって配線用ボックスＢを支持させる場合は、仕切形成部２８は除去されず、仕切壁２６として機能させることができる。一方、ボックス固定具１１によって配線用ボックスＢを支持させる場合には、仕切形成部２８は除去されることで仕切壁開口部２９（収容部）を形成して固定片１３を配設可能とする。したがって、仕切壁２６に仕切形成部２８を形成することで、配線用ボックスＢをボルト１０又はボックス固定具１１のいずれによって支持されても仕切壁２６による仕切状態を維持することができる。
【００３９】
（９）仕切壁２６に仕切形成部２８が設けられ、該仕切形成部２８にボルト収容溝２８ｂ（収容部）が形成されるとともに、仕切形成部２８は仕切壁２６から除去可能に形成されている。そして、ボルト１０によって配線用ボックスＢを支持させる場合は、仕切形成部２８は除去されず、仕切壁２６として機能するとともにボルト収容溝２８ｂによってボルト１０を沿わせて配設することができる。一方、ボックス固定具１１によって配線用ボックスＢを支持させる場合には、仕切形成部２８は除去されることで仕切壁開口部２９（収容部）を形成して固定片１３を配設可能とする。さらに、挿通孔２５には、ボックス固定具１１の固定片１３を挿通可能とするとともに、ボルト挿通孔２５ａにボルト１０を挿通可能とする。よって、仕切壁２６に仕切形成部２８を設けるとともにボックス本体２１の深さ方向中央に挿通孔２５を設けることで、配線用ボックスＢをボルト１０とボックス固定具１１の２種類のボックス支持具を使用して支持することができる。したがって、配線用ボックスＢの支持作業は、作業者の好みのボックス支持具を用いて行うことができる。
【００４０】
（１０）仕切形成部２８を仕切壁２６から除去すると、固定片１３に対応した形状の仕切壁開口部２９を形成することができる。このため、挿通孔２５に挿通された固定片１３を仕切壁開口部２９に収容すると、仕切壁開口部２９は固定片１３によってほぼ全体が閉鎖され、仕切壁２６には無駄な開口が形成されることが防止されるとともに仕切壁２６によってボックス内空間Ｓを仕切ことができる。
【００４１】
なお、本実施形態は以下のように変更してもよい。
○  挿通孔２５（ボルト挿通孔２５ａ）、ガイド部２７、仕切形成部２８（ボルト収容溝２８ｂ）は、ボックス本体２１における高さ方向（上下方向）中央に位置していなくてもよい。
【００４２】
○  仕切形成部２８は無くてもよい。
○  ガイド部２７は無くてもよい。
○  形鋼材として断面四角枠状をなす角型鋼を用いてもよい。
【００４３】
○  ボルト収容溝２８ｂの代わりに、ボックス本体２１へのボルト１０の貫通方向に沿って仕切壁２６（仕切形成部２８）の一部を切り欠いてボルト１０のボルト収容部を形成し、該ボルト収容部にボルト１０を収容可能にしてもよい。このとき、ボルト収容部は、ボルト１０の形状に対応した形状（細長溝状）に仕切壁２６を切り欠いて形成される。このように、ボルト１０の形状に対応するように仕切壁２６を除去してボルト収容部を形成することにより、ボルト収容部にボルト１０を収容したとき、該ボルト収容部はボルト１０によって閉鎖され、仕切壁２６に無駄な開口が形成されることが防止されるとともに仕切壁２６によってボックス内空間Ｓを仕切ことができる。
【００４４】
○  仕切壁２６における仕切形成部２８及びボルト収容溝２８ｂを削除するとともに挿通孔２５及びボルト挿通孔２５ａの位置をボックス本体２１の深さ方向の前側又は後側にずらす。そして、挿通孔２５に挿通された固定片１３を仕切壁２６に沿わせて配設するか、ボルト挿通孔２５ａに挿通されたボルト１０を仕切壁２６に沿わせて配設してもよい。この場合、挿通孔２５（ボルト挿通孔２５ａ）のみが、ボルト１０又はボックス固定具１１をボックス本体２１に貫通させるとともに、ボルト１０又はボックス固定具１１を仕切壁２６に沿わせて配設させるボックス支持具貫通部を形成する。
【図面の簡単な説明】
【００４５】
【図１】実施形態の配線用ボックスの使用状態を示す斜視図。
【図２】実施形態の配線用ボックスを示す斜視図。
【図３】配線用ボックスを示す正面図。
【図４】配線用ボックスを示す図３の４−４線断面図。
【図５】配線用ボックスを示す図３の５−５線断面図。
【図６】仕切形成部を除去した状態を示す配線用ボックスの正面図。
【図７】配線用ボックスの使用状態を示す斜視図。
【符号の説明】
【００４６】
Ｂ…配線用ボックス、Ｐ…形鋼材としての軽量形鋼材、Ｓ…ボックス内空間、Ｗａ…壁材、Ｗ…間仕切壁としての軽量間仕切壁、１０…ボックス支持具としてのボルト、１１…ボックス支持具としてのボックス固定具、１２…取付部、１３…固定片、２１…ボックス本体、２１ａ〜２１ｄ…周壁を形成する第１〜第４側壁、２５…ボックス支持具貫通部を形成する挿通孔（２５ａ…ボルト挿通孔）、２６…仕切壁、２８ｂ…ボックス支持具貫通部を形成する収容部としてのボルト収容溝、２９…ボックス支持具貫通部を形成する収容部としての仕切壁開口部。
【図１】
2008306862.tif 000003
【図２】
2008306862.tif 000004
【図３】
2008306862.tif 000005
【図４】
2008306862.tif 000006
【図５】
2008306862.tif 000007
【図６】
2008306862.tif 000008
【図７】
2008306862.tif 000009